(57)【要約】【課題】簡単に試し書き用の媒体（用紙）の使用状態の確認及び交換の手間を軽減した描画装置を提供する。【解決手段】描画装置１０は、筐体２０と、筐体２０内に配置され、爪１２に描画を行うペン３１を備える描画部３０と、少なくとも一部は筐体２０内にあって回転可能に支持されている媒体交換部４０と、を備える。媒体交換部４０は、ペン３１の試し書きを行う媒体５１を保持する複数の媒体保持部５２を有し、媒体交換部４０を回転させることで、筐体２０内に位置してペン３１による描画が行われた媒体５１を交換可能な位置に移動させるとともに、筐体２０内に別の媒体５１を送り込むことができる。【選択図】図１
2016174840.tif 000002
【特許請求の範囲】
【請求項１】
筐体と、
前記筐体内に配置され、描画対象に描画を行う描画用具を備える描画部と、
少なくとも一部は前記筐体内にあって、回転可能に支持され、複数の媒体保持部を有し、前記複数の媒体保持部の各々に前記描画用具により描画可能な媒体が交換可能に保持され、回転することにより、第１の媒体保持部に保持されている前記媒体が交換可能な位置に移動するとともに、第２の媒体保持部に保持されている前記媒体が前記描画用具により描画される位置に移動する媒体交換部と、
を備えることを特徴とする描画装置。
【請求項２】
前記媒体交換部は、一部が前記筐体の外に位置し、前記複数の媒体保持部における少なくとも一部が前記筐体の外に位置している特定の媒体保持部に保持されている前記媒体が視認可能とされるとともに前記交換可能とされることを特徴とする請求項１に記載の描画装置。
【請求項３】
前記媒体交換部は、前記筐体内に位置する第１部分と、前記第１部分に対して折り曲げ可能で、前記筐体外に位置する第２部分と、を有し、前記第２部分が折り曲げられていないとき、前記第２部分に保持されている前記媒体の少なくとも一部を視認可能とするとともに当該媒体を交換可能とし、前記第２部分が折り曲げられたときに、前記第２部分が前記筐体に接触するように設けられていることを特徴とする請求項１又は２に記載の描画装置。
【請求項４】
前記筐体は、前記折り曲げられた前記媒体交換部の前記第２部分に接触して、前記第２部分を固定する固定部を有し、
前記媒体交換部は、前記第２部分が前記筐体の前記固定部により固定されているとき、回転が防止された状態にされることを特徴とする請求項３に記載の描画装置。
【請求項５】
前記媒体交換部の前記第２部分が前記筐体の前記固定部により固定されて、前記媒体交換部の回転が防止されているときに、前記第１部分に保持されている前記媒体に、前記描画用具により描画を行うことを特徴とする請求項４に記載の描画装置。
【請求項６】
前記媒体交換部は、円盤状の形状を有し、前記第１部分及び前記第２部分は、それぞれ、前記円盤状の形状を、その中心を通る直線で２つに分割した半円形状を有していることを特徴とする請求項３乃至５のいずれか１項に記載の描画装置。
【請求項７】
前記複数の媒体保持部の各々には、前記媒体の周縁の一部を把持する把持部が設けられていることを特徴とする請求項１乃至請求項６のいずれか１項に記載の描画装置。
【請求項８】
前記筐体に設けられた、前記媒体交換部の前記筐体外に位置している部分の一部に接触して、前記媒体交換部の回転動作を規制する回転防止機構を有していることを特徴とする請求項２に記載の描画装置。
【請求項９】
前記媒体交換部の回転動作が前記回転防止機構により防止されているときに、前記媒体交換部の前記筐体内に位置している部分に保持されている前記媒体に、前記描画用具により描画を行うことを特徴とする請求項８に記載の描画装置。
【発明の詳細な説明】
【技術分野】
【０００１】
本発明は、描画装置に関する。
【背景技術】
【０００２】
従来、インクジェット方式で印刷を行う印刷ヘッドを備え、人の指の爪の表面に色や絵柄等のデザイン画像を印刷するネイルプリント装置が知られている（例えば、特許文献１参照）。
【０００３】
インクジェット方式の印刷ヘッドは、印刷対象に対向する面に設けられたノズルからインクを吐出して記録媒体上に着弾、定着させることにより印刷を行うようになっている。
【０００４】
ところで、インクジェット方式の印刷ヘッドは、ノズルの穴径が小さいため、粒径の大きな色材を含むインクや粘性の高いインクを使用することができない等の制約がある。このため、印刷できるネイルデザインに限界があった。
【０００５】
一方、ネイルプリント装置ではないが、ペンを装着した描画ヘッドを備え、ペンの先端部を用紙（対象物）に当接させて描画を行うプロッタ方式のプリント装置が一般に知られている。ペンの場合、インクの制限がインクジェットの場合よりも少ないことから、このようなペンを用いるプロッタ方式をネイルプリント装置に用いることで、ネイルデザインの幅を広げることができると考えられる。
【０００６】
しかしながら、ペンを用いる場合、ペンのペン先が乾いていたりしてインクの出が悪く、そのままでは書き始めがかすれたりすることがあるため、爪にネイルデザインの描画を行うのに先立って、用紙に試し書きを行い、描画を開始する前にインクが良好に出る状態にすることが好ましい。
【０００７】
この試し書きを行うための用紙をネイルプリント装置内にセットして、装置内で試し書きを行うことができる構成とした場合、この用紙の全体に試し書きが行われて試し書きを行うスペースが無くなったときには、この用紙を新しい用紙に交換しなければならない。ここで、この用紙の使用状態は装置外からは見えないため、この用紙の使用状態を確認して交換が必要であるか否かを判断するためには、この用紙を、一旦、試し書き領域から取り出して、使用状態を確認することになる。これにより、交換の必要がなかった場合には、その用紙を、再び、装置内にセットし直さなければならない手間が発生する。
【先行技術文献】
【特許文献】
【０００８】
【特許文献１】特表２００３―５３４０８３号公報
【発明の概要】
【発明が解決しようとする課題】
【０００９】
そこで、本発明は、上記のような事情に鑑みなされたものであり、簡単に試し書き用の媒体（用紙）の使用状態の確認及び交換の手間を軽減することができる描画装置を提供することを目的とする。
【課題を解決するための手段】
【００１０】
本発明は、以下の構成によって把握される。
本発明の描画装置は、筐体と、前記筐体内に配置され、描画対象に描画を行う描画用具を備える描画部と、少なくとも一部は前記筐体内にあって、回転可能に支持され、複数の媒体保持部を有し、前記複数の媒体保持部の各々に前記描画用具により描画可能な媒体が交換可能に保持され、回転することにより、第１の媒体保持部に保持されている前記媒体が交換可能な位置に移動するとともに、第２の媒体保持部に保持されている前記媒体が前記描画用具により描画される位置に移動する媒体交換部と、を備えることを特徴とする。
【発明の効果】
【００１１】
本発明によれば、簡単に試し書き用の媒体（用紙）の使用状態の確認及び交換の手間を軽減した描画装置を提供することができる。
【図面の簡単な説明】
【００１２】
【図１】本発明の第１実施形態に係る描画装置を上方から見た図であり、筐体を水平方向に切断して見た断面図である。
【図２】図１のＡ−Ａ線断面図である。
【図３】第１実施形態に係る媒体交換部の平面図である。
【図４】第１実施形態に係る媒体交換部の底面図である。
【図５】第１実施形態に係る装置外の半体を壁面に収容した状態を示す図である。
【図６】本発明の第２実施形態に係る描画装置を上方から見た図であり、筐体を水平方向に切断して見た断面図である。
【図７】第２実施形態に係る媒体交換部の平面図である。
【図８】図７のＢ−Ｂ線断面図である。
【図９】図７のＣ−Ｃ線断面図である。
【図１０】図６のＤ部を拡大し媒体交換部の一部を破断して示す図である。
【発明を実施するための形態】
【００１３】
以下、添付図面を参照して、本発明を実施するための形態（以下、「実施形態」と称する）について詳細に説明する。また、図面は符号の向きに見るものとする。なお、実施形態の説明の全体を通して同じ要素には同じ番号を付している。
【００１４】
また、以下の実施形態では、描画装置は手の指の爪を描画対象として、この爪の表面に描画するものとして説明するが、本発明の描画対象は手の指の爪に限るものではなく、例えば足の指の爪を描画対象面としてもよい。
【００１５】
（第１実施形態）
まず、第１実施形態の描画装置を図１〜図５に基づいて説明する。
図１に示すように、描画装置１０は、例えば、描画部３０による描画機能により、人の指１１の爪１２にネイルデザインを施す装置である。描画装置１０は、筐体２０と、この筐体２０の内部に移動可能に設けられる描画部３０と、筐体２０の中央部に設けられ、指１１を挿入可能な指挿入部１３と、複数のペン３１のペン先を保護する複数のキャップ１５とを備える。また、描画装置１０には、試し書きを行うための媒体５１を保持するとともに、媒体５１の使用状態の確認及び媒体５１の交換を容易とする、例えば円盤状の形状に形成された媒体交換部４０が設けられている。この媒体５１は、例えば紙により形成されている。
【００１６】
なお、以下の説明及び図中において、色の種類が互いに異なる複数種のペン３１を区別して称する場合、ペン３１Ａ，３１Ｂ，３１Ｃ，３１Ｄと記載し、総じて称する場合は、単にペン３１と記載する。
【００１７】
筐体２０の上面には、図示は省略するが、液晶ディスプレイ（ＬＣＤ：Ｌｉｑｕｉｄ  Ｃｒｙｓｔａｌ  Ｄｉｓｐｌａｙ）、有機エレクトロルミネッセンスディスプレイなど各種のフラットディスプレイで構成されるタッチパネル式の表示部を設けることができる。また、筐体２０の内部には、指挿入部１３に挿入された指１１及びその爪（描画対象）１２の画像を取得する画像取得部を設けることができ、描画装置１０では、この取得した画像に基づいてネイルデザインを描画部３０により爪１２に描画することができる。
【００１８】
描画部３０は、指挿入部１３に挿入されて、指挿入部１３内に載置された指１１の爪（描画対象）爪１２に描画を行うペン（描画用具）３１と、ペン３１を着脱可能にほぼ垂直に保持するペンホルダ３２と、ペンホルダ３２に固定されるアーム３３とを備える。描画部３０では、ペン先がキャップ１５に嵌合されている複数種のペン３１Ａ〜３１Ｄ（例えば、色の種類が互いに異なる複数種のペン）から任意のペン３１をペンホルダ３２に選択的に装着することより、ペン３１の交換が可能である。描画部３０のアーム３３は、移動手段（図示省略）によって、装置幅方向となるＸ方向、装置奥行き方向となるＹ方向及び装置高さ方向となるＺ方向（図２参照）に移動可能である。これにより、描画部３０は、待機位置（例えば、キャップ１５の近傍位置）から、キャップ１５の上方に移動して任意のペン３１を選択・保持し、媒体５１上に移動・下降して試し書きを行った後、指挿入部１３の上方開口１３ａへ移動・下降し、ペン先で爪１２にネイルデザインを描画する。
【００１９】
図２に示すように、媒体交換部４０は、筐体２０の周壁（例えば、側壁２０ａ）に形成した開口２１から、その一部が筐体２０外に露出した形に設けられる。媒体交換部４０は、その直径部分において半分に折り曲げ可能な一対の第１半体４１Ａ（本発明にいう「第１部分」に相当）及び第２半体４１Ｂ（本発明にいう「第２部分」に相当）を主要素とする。第１半体４１Ａ及び第２半体４１Ｂは、折り曲げ部４２により折り曲げ可能に連結され、台座４３に支持される。折り曲げ部４２の構成は、Ｌ字状に折れ曲がるものであれば任意であるが、例えば、金属製あるいはプラスチック製などのヒンジを折り曲げ部４２として好適に用いることができる。
【００２０】
台座４３は、筐体２０の側壁２０ａに設けられる支軸４５により、ほぼ水平な面内で回転可能に支持される。台座４３には、第１半体４１Ａ及び第２半体４１Ｂそれぞれの第１凸部４６Ａ及び第２凸部４６Ｂ（後述）に対応して設けられる第１凹部５１Ａ及び第２凹部５１Ｂが設けられる。
【００２１】
また、筐体２０において、筐体２０外に位置する半体（図２では、第２半体４１Ｂ）を折り曲げ中心線４２ａにて筐体２０側に折り曲げたときに、折り曲げられた半体（図２では、第２半体４１Ｂ）が当接する壁面２０ａ１（この例では、側壁２０ａの壁面）に、折り曲げられた半体（図２では、第２半体４１Ｂ）の少なくとも一部を収容する収容部４７が設けられる。
【００２２】
収容部４７は、収容部４７の他の部分よりも筐体２０の厚み方向に深く凹む円弧状凹部４７ａを有しており、この円弧状凹部４７ａの天井面の側端には、折り曲げられた半体に係止して、この半体を固定する係止部（固定部）４７ｂが下方に突出して設けられる。収容部４７は、折り曲げられた半体（図２では、第２半体４１Ｂ）を収容する機能と、この収容した半体（図２では、第２半体４１Ｂ）を係止部４７ｂにより固定する機能を兼ね備える。
【００２３】
図３に示すように、第１半体４１Ａ及び第２半体４１Ｂのそれぞれの表面側は、半円形状の媒体５１を保持する媒体保持部５２として機能する。この媒体保持部５２は、上面が平坦でほぼ水平に設けられている。そして、これら２つの媒体保持部５２（第１半体４１Ａの媒体保持部５２が本発明にいう「第１の媒体保持部」に相当し、第２半体４１Ｂの媒体保持部５２が「第２の媒体保持部」に相当）同士の間には、第１半体４１Ａ及び第２半体４１Ｂのそれぞれに設けられ、各媒体５１の直径部５１ａを上方から押さえて把持する２つの直径側把持部５３が設けられる。また、第１半体４１Ａ及び第２半体４１Ｂのそれぞれの外周縁部には、各媒体５１の円弧部５１ｂの概ね中央部を把持する円弧側把持部５５が設けられている。円弧側把持部５５の第１半体４１Ａ及び第２半体４１Ｂのそれぞれの裏面側には、表面側に向かって凹んだ外面５６が設けられている。
【００２４】
円弧側把持部５５は、第１半体４１Ａ又は第２半体４１Ｂが収容部４７に収容される際、円弧状凹部４７ａ（図２参照）に合わさるとともに、その外面５６（図２参照）が係止部４７ｂ（図２参照）によって係止されて、固定される。
【００２５】
図４に示すように、第１半体４１Ａ及び第２半体４１Ｂのそれぞれの裏面側には、第１半体４１Ａ及び第２半体４１Ｂのそれぞれの中心近傍でかつ直径方向に沿って一対の第１凸部４６Ａ及び一対の第２凸部４６Ｂが並んで設けられる。第１凸部４６Ａ及び第２凸部４６Ｂのそれぞれは、第１半体４１Ａ及び第２半体４１Ｂが水平方向に沿う姿勢の状態において、台座４３の第１凹部５１Ａ及び第２凹部５１Ｂに嵌合されることで、第１半体４１Ａ及び第２半体４１Ｂを台座４３に固定する。
【００２６】
図５に示すように、媒体交換部４０では、媒体交換部４０を円盤状に広げた状態において、第１半体４１Ａ又は第２半体４１Ｂのうちの一方の１つの半体（図５において二点鎖線で示す第２半体４１Ｂ）が筐体２０外に位置し、残る他方の１つの半体（図５では、第１半体４１Ａ）が筐体２０内の試し書き領域５７に位置する。また、筐体２０外に位置する半体（図５において二点鎖線で示す第２半体４１Ｂ）は、折り曲げ部４２により筐体２０側に９０°折り曲げられたとき（図５において実線で示す第２半体４１Ｂ）は、係止部４７ｂに係止された状態で収容部４７に収容される。そして、この状態では、筐体２０内に位置する半体（図５では、第１半体４１Ａ）の回転が防止された状態にあり、試し書き領域５７において、筐体２０内の半体（図５では、第１半体４１Ａ）上の媒体５１に対し、ペン３１による試し書きが可能となる。
【００２７】
さらに、媒体交換部４０では、筐体２０外に位置する半体（図５において実線で示す第２半体４１Ｂ）を係止部４７ｂから外して９０°倒して水平な姿勢にし、凸部（図５では、第２凸部４６Ｂ）を凹部（図５では、第２凹部５１Ｂ）に嵌合する。これにより、使用者は、円盤状に広げられた媒体交換部４０を、支軸４５を中心にほぼ水平な面内で回転させることが可能となり、媒体交換部４０を約１８０度回転させることによって、筐体２０内に位置していた半体（図５では、第１半体４１Ａ）上の媒体５１を、目視できる筐体２０外の位置に移動（回転）させることができる。
【００２８】
（媒体の交換の仕方）
媒体５１の交換の仕方について説明する。
ここで、媒体５１は、媒体５１の表面のほぼ全面に試し書きが行われて、媒体５１に試し書きを行うスペースがほぼ無くなったとき、使用者により交換される。
先ず、予め筐体２０内に位置する半体（図５では、第１半体４１Ａ）及び筐体２０外に位置する半体（図５では、第２半体４１Ｂ）に既に媒体５１がセット（保持）されていて、筐体２０外に位置する半体（第２半体４１Ｂ）収容部４７に収容されている状態であるとする。そして、媒体５１の表面のほぼ全面に試し書きが行われて、交換が必要な状態になっているかもしれないと予想される時期になったら、使用者は、筐体２０外に位置する半体（第２半体４１Ｂ）を筐体２０から外して、水平な姿勢にする（図５に二点鎖線で示す第２半体４１Ｂ参照）。
【００２９】
次に、筐体２０内に位置する半体（図５では、第１半体４１Ａ）を筐体２０外に位置させるように媒体交換部４０を約１８０度回転させる。これにより、筐体２０外に位置していた半体（図５では、第２半体４１Ｂ）が筐体２０内に位置することになり、筐体２０外に位置した半体（図５では、第２半体４１Ｂ）にセットされていた新しい媒体５１が筐体２０内の試し書き領域５７に送り込まれることになる。
【００３０】
そして、媒体交換部４０を回転させて筐体２０外に位置することになった半体（図５では、第１半体４１Ａ）上の媒体５１の使用所歌を使用者が目視して、交換が必要であるか否かを判断し、交換が必要であると判断した場合は、使用者は、その筐体２０外に位置することとなった半体（図５では、第１半体４１Ａ）から媒体５１を取外し、新しい別の媒体５１を挿し込んでセットする。
媒体５１を挿し込む際は、媒体５１の直径部５１ａ（図３参照）を直径側把持部５３に挿し込んで把持させ、同様にして媒体５１の円弧部５１ｂ（図３参照）の中央も円弧側把持部５５に挿し込んで保持させる。媒体保持部５２への媒体５１の挿し込みが完了したら、筐体２０外に出した半体（この例では、第１半体４１Ａ）を折り曲げ部４２によって筐体２０側に折り曲げて収容部４７に収容するとともに、係止部４７ｂに係止する。
【００３１】
一方、交換が不要であると判断した場合は、使用者は、何もせず、そのまま筐体２０外に出した半体（この例では、第１半体４１Ａ）を折り曲げ部４２によって筐体２０側に折り曲げて収容部４７に収容するとともに、係止部４７ｂに係止する。
このように、筐体２０外に出した半体（この例では、第１半体４１Ａ）を筐体２０側に折り曲げて収容部４７に収容するとともに、係止部４７ｂに係止させると、媒体交換部４０の回転が防止され、筐体２０内に入った半体（この例では、第２半体４１Ｂ）上の新しい媒体５１に対し、ペン３１による試し書きが可能となる。以降、使用者が描画装置１０のスタートスイッチをＯＮにするなどして、描画部３０の一連の動作が開始され、描画部３０のペン３１が新しい媒体５１に対して下降し、試し書きが開始される。つまり、初めに１度、媒体５１を第１半体４１Ａ及び第２半体４１Ｂにセットすれば、それ以降は、交換が必要と判断されるときだけセットすればよい。
【００３２】
（実施形態の効果）
以上、説明した実施形態によれば、媒体交換部４０から媒体５１を取外さずに、簡単に試し書き用の媒体５１の使用状態が確認でき、媒体５１の使用状態を確認した結果、交換の必要がなければ、そのままにしておくことができる。
したがって、媒体５１の交換作業は、本当に媒体５１を交換するときだけで済むので、媒体５１を取り替える必要がないときにまで、媒体５１をセットし直す手間が軽減される。
【００３３】
（第２実施形態）
次に、本発明に係る第２実施形態の描画装置を図６〜図１０に基づいて説明する。なお、前述した第１実施形態に係る描画装置１０と共通する要素には同じ符号を付して、重複する説明を省略することとする。
【００３４】
前述した第１実施形態においては、媒体交換部を折り曲げ可能に構成したが、第２実施形態は、媒体交換部を折り曲げることなく使用する構成としたものである。
【００３５】
図６に示すように、例えば、第２実施形態の描画装置６０では、折り曲げ用のヒンジなどを備えない、例えば円盤状の形状に形成された媒体交換部７０を、筐体２０内に支軸４５により、ほぼ水平な面内で回転可能に設ける。媒体交換部７０は、一部（この例では大部分）が筐体２０内に収容されており、一部７１（図６において、破線の四角で囲われる部分）が開口２１から筐体２０外に露出している。
【００３６】
図７に示すように、媒体交換部７０は、扇状の形状に形成された複数の媒体保持部７２Ａ〜７２Ｈを有する。複数の媒体保持部７２Ａ〜７２Ｈは、媒体交換部７０の上面が周方向に複数に分割（この例では、４５°の間隔で８個に等分）されたものである。ここでは、媒体交換部７０に偶数個の媒体保持部７２を設けた構成を例示するが、媒体交換部７０に奇数個の媒体保持部７２を設けることもできる。なお、以下の説明及び図中において、複数の媒体保持部７２を区別して称する場合、媒体保持部７２にアルファベットを後続させて媒体保持部７２Ａ〜７２Ｈと記載し、総じて称する場合は、単に媒体保持部７２と記載する。
【００３７】
各媒体保持部７２Ａ〜７２Ｈには、媒体保持部７２Ａ〜７２Ｈの形状（扇状）に合わせた二等辺三角形状の形状に形成された媒体７３がセット（保持）可能である。媒体交換部７０の中心には、各媒体７３の頂点部７３ａを上方から押さえて把持する円形の頂点側把持部７５が設けられる。
【００３８】
また、図７のＢ−Ｂ線断面図である図８に示すように、隣接する２つの媒体保持部７２（図８では、媒体保持部７２Ｈ，７２Ｇ）同士の間には、媒体７３の等辺部（２辺）７３ｂを上方から押さえて把持する断面Ｔ字状の等辺側把持部７６が設けられる。
【００３９】
また、図７のＣ−Ｃ線断面図である図９に示すように、各媒体保持部７２（図９では、媒体保持部７２Ｆ）の外周縁部には、各媒体７３の底辺部７３ｃの少なくとも中央を上方から押さえて把持する底辺側把持部７７が設けられている。
【００４０】
さらに、図６のＤ部を拡大した図１０に示すように、露出した一部７１の両側端のうち少なくとも一方の側端には、媒体交換部７０の回転を防止する回転防止機構８０が設けられる。回転防止機構８０は、各種のロック手段から選択可能であるが、例えば、媒体交換部７０の裏面側に設けられる係止用凹部８１と、この係止用凹部８１に係合・離脱できるように筐体２０にスライド可能に設けられる係止体８２とにより構成されるロック・解除機構を回転防止機構８０として用いることができる。
【００４１】
この媒体交換部７０においては、試し書き領域５７を、筐体２０の内部に位置している領域の中で、任意の位置に設定することができるが、例えば、図６に示すように、複数の媒体保持部７２のうち、支軸４５を挟んで開口２１と対向する媒体保持部７２（図６では、媒体保持部７２Ｅ）を試し書き領域５７として設定することができる。また、媒体７３の変更は、媒体交換部７０を所定角度（この例では、４５°）回転させることで容易に行うことができる。
なお、色の種類が互いに異なる複数種のペン３１を使用している場合、筐体２０の内部に位置している複数の媒体保持部７２における試し書き領域５７とする位置を、ペン毎に異ならせるようにしてもよい。すなわち、例えば、互いに色の種類が異なる４種のペン３１Ａ，３１Ｂ，３１Ｃ，３１Ｄを使用している場合に、ペン３１Ａでは媒体保持部７２Ｃに保持されている媒体７３に試し書きを行うようにし、ペン３１Ｂでは媒体保持部７２Ｄに保持されている媒体７３に試し書きを行うようにし、ペン３１Ｃでは媒体保持部７２Ｅに保持されている媒体７３に試し書きを行うようにし、ペン３１Ｄでは媒体保持部７２Ｆに保持されている媒体７３に試し書きを行うようにする。こうすることにより、互いに異なる色の種類のペン３１同士でインクの色が混色してしまうことを防ぐことができる。
【００４２】
次に、媒体７３の交換について説明する。
ここで、先ず、複数の媒体保持部７２の全てに媒体７３がセット（保持）されている状態であるとする。
そして、１つの媒体７３の表面のほぼ全面に試し書きが行われて、その媒体５１の交換が必要な状態になっているかもしれないと予想される時期になったら、使用者は、回転防止機構８０（図１０参照）を解除した後、現在、一部７１（破線の四角で囲われる部分）が開口２１から筐体２０外に一部が露出している図６に示す媒体保持部７２Ａに隣接する媒体保持部７２Ｂの一部が開口２１から筐体２０外に露出するように、媒体交換部７０を時計回りに約４５度回転させる。これにより、図６に示す媒体保持部７２Ｆが、その前に媒体保持部７２Ｅがあった位置（つまり、筐体２０内の試し書き領域５７）の位置に送り込まれ、媒体保持部７２Ｆにセットされている新しい媒体７３が試し書き領域５７に位置する。
【００４３】
次に、使用者は、一部が開口２１から筐体２０外に露出することとなった媒体保持部７２Ｂの媒体７３の使用状態を目視して、交換が必要であるか否かを判断し、交換が必要であると判断した場合は、使用済みの媒体７３を媒体保持部７２Ｂから取り出し、新しい別の媒体７３を媒体保持部７２Ｂに挿し込んでセットする。
媒体７３を挿し込む際は、媒体７３の頂点部７３ａ（図７参照）を頂点側把持部７５に挿し込んで把持させるとともに媒体７３の等辺部７３ｂ（図７参照）を等辺側把持部７６に挿し込んで把持させ、同様にして、媒体７３の底辺部７３ｃ（図７参照）の中央を底辺側把持部７７に挿し込んで把持させる。
【００４４】
一方、交換が不要であると判断した場合は、使用者は、何もせず、そのままにしておく。
つまり、初めに１度、媒体７３を全ての媒体保持部７２にセットすれば、それ以降は、交換が必要と判断されるときだけセットすればよい。
【００４５】
この第２実施形態においても、媒体７３の交換作業は、本当に媒体７３を交換する必要があるときだけで済むので、媒体７３を取り替える必要がないときにまで媒体７３をセットし直す手間が軽減される。
【００４６】
なお、以上の第１実施形態及び第２実施形態では、ペン３１を用いる場合について説明したが、描画装置は、ペン３１に加えてインクジェットヘッドを有する印刷部を備えるものでもよい。
【００４７】
以下に、この出願の願書に最初に添付した特許請求の範囲に記載した発明を付記する。付記に記載した請求項の項番は、この出願の願書に最初に添付した特許請求の範囲の通りである。
＜請求項１＞
筐体と、
前記筐体内に配置され、描画対象に描画を行う描画用具を備える描画部と、
少なくとも一部は前記筐体内にあって、回転可能に支持され、複数の媒体保持部を有し、前記複数の媒体保持部の各々に前記描画用具により描画可能な媒体が交換可能に保持され、回転することにより、第１の媒体保持部に保持されている前記媒体が交換可能な位置に移動するとともに、第２の媒体保持部に保持されている前記媒体が前記描画用具により描画される位置に移動する媒体交換部と、
を備えることを特徴とする描画装置。
＜請求項２＞
前記媒体交換部は、一部が前記筐体の外に位置し、前記複数の媒体保持部における少なくとも一部が前記筐体の外に位置している特定の媒体保持部に保持されている前記媒体が視認可能とされるとともに前記交換可能とされることを特徴とする請求項１に記載の描画装置。
＜請求項３＞
前記媒体交換部は、前記筐体内に位置する第１部分と、前記第１部分に対して折り曲げ可能で、前記筐体外に位置する第２部分と、を有し、前記第２部分が折り曲げられていないとき、前記第２部分に保持されている前記媒体の少なくとも一部を視認可能とするとともに当該媒体を交換可能とし、前記第２部分が折り曲げられたときに、前記第２部分が前記筐体に接触するように設けられていることを特徴とする請求項１又は２に記載の描画装置。
＜請求項４＞
前記筐体は、前記折り曲げられた前記媒体交換部の前記第２部分に接触して、前記第２部分を固定する固定部を有し、
前記媒体交換部は、前記第２部分が前記筐体の前記固定部により固定されているとき、回転が防止された状態にされることを特徴とする請求項３に記載の描画装置。
＜請求項５＞
前記媒体交換部の前記第２部分が前記筐体の前記固定部により固定されて、前記媒体交換部の回転が防止されているときに、前記第１部分に保持されている前記媒体に、前記描画用具により描画を行うことを特徴とする請求項４に記載の描画装置。
＜請求項６＞
前記媒体交換部は、円盤状の形状を有し、前記第１部分及び前記第２部分は、それぞれ、前記円盤状の形状を、その中心を通る直線で２つに分割した半円形状を有していることを特徴とする請求項３乃至５のいずれか１項に記載の描画装置。
＜請求項７＞
前記複数の媒体保持部の各々には、前記媒体の周縁の一部を把持する把持部が設けられていることを特徴とする請求項１乃至請求項６のいずれか１項に記載の描画装置。
＜請求項８＞
前記筐体に設けられた、前記媒体交換部の前記筐体外に位置している部分の一部に接触して、前記媒体交換部の回転動作を規制する回転防止機構を有していることを特徴とする請求項２に記載の描画装置。
＜請求項９＞
前記媒体交換部の回転動作が前記回転防止機構により防止されているときに、前記媒体交換部の前記筐体内に位置している部分に保持されている前記媒体に、前記描画用具により描画を行うことを特徴とする請求項８に記載の描画装置。
【符号の説明】
【００４８】
１０      描画装置
１２      爪
２０      筐体
２０ａ１  壁面
３０      描画部
３１      ペン
３１Ａ    ペン
３１Ｂ    ペン
３１Ｃ    ペン
３１Ｄ    ペン
４０      媒体交換部
４１Ａ    第１半体
４１Ｂ    第２半体
４７      収容部
４７ｂ    係止部
５１      媒体
５２      媒体保持部
５３      直径側把持部
５５      円弧側把持部
６０      描画装置
７０      媒体交換部
７１      一部
７２Ａ〜７２Ｈ  媒体保持部
７３      媒体
７５      頂点側把持部
７６      等辺側把持部
７７      底辺側把持部
８０      回転防止機構
【図１】
2016174840.tif 000003
【図２】
2016174840.tif 000004
【図３】
2016174840.tif 000005
【図４】
2016174840.tif 000006
【図５】
2016174840.tif 000007
【図６】
2016174840.tif 000008
【図７】
2016174840.tif 000009
【図８】
2016174840.tif 000010
【図９】
2016174840.tif 000011
【図１０】
2016174840.tif 000012